(57)【要約】【課題】ユーザーの興味の低下を低減できる携帯通信機器を提供すること。【解決手段】本発明に係る携帯通信機器は、指令の入力を受け付ける入力装置と、通信回線を介して情報を取得する通信装置と、画像を表示する表示装置と、音声を出力するスピーカと、制御装置とを少なくとも備える。制御装置は、あらかじめ指定された文字列であって、画像と音声との少なくとも一方を含むコンテンツのコンピュータネットワーク内での所在を表す文字列であるＵＲＬに基づいて、コンピュータネットワークからコンテンツを通信装置に取得させ、表示装置に待ち受け画面を表示させるための信号を取得すると、コンテンツに含まれる画像を表示装置に表示させることと、コンテンツに含まれる音声をスピーカに出力させることとの少なくとも一方を行う制御であるコンテンツ実行制御を行う。【選択図】図３
2011097190.tif 000002
【特許請求の範囲】
【請求項１】
指令としての信号を受け付ける入力装置と、
通信回線を介して情報を取得する通信装置と、
画像を表示する表示装置と、
音声を出力するスピーカと、
あらかじめ指定された文字列であって、画像と音声との少なくとも一方を含むコンテンツのコンピュータネットワーク内での所在を表す文字列に基づいて、前記コンピュータネットワークから前記コンテンツを前記通信装置に取得させ、前記表示装置に待ち受け画面を表示させる信号を取得すると、取得した前記コンテンツに含まれる画像を前記表示装置に表示させることと、取得した前記コンテンツに含まれる音声をスピーカに出力させることとの少なくとも一方を行う制御であるコンテンツ実行制御を行う制御装置と、
を備えることを特徴とする携帯通信機器。
【請求項２】
前記文字列は、前記表示装置の待ち受け画面に対して指定された文字列であることを特徴とする請求項１に記載の携帯通信機器。
【請求項３】
前記制御装置は、前記コンピュータネットワーク内で前記コンテンツを検出できない場合、前記文字列を新たな文字列に変更して、前記通信装置による前記コンテンツとは別のコンテンツの取得を試みることを特徴とする請求項１から請求項３のいずれか１項に記載の携帯通信機器。
【請求項４】
前記制御装置は、前記文字列の後尾側から文字を削除することで、前記新たな文字列を作成することを特徴とする請求項３に記載の携帯通信機器。
【請求項５】
前記制御装置は、前記コンピュータネットワークから取得したコンテンツとしてのファイルに、前記別のコンテンツの前記ネットワーク内での所在を表す文字列を発見した場合は、発見した文字列を前記新たな文字列とすることを特徴とする請求項３に記載の携帯通信機器。
【請求項６】
前記制御装置は、前記コンピュータネットワーク内で複数のコンテンツを検出した場合、前記信号を取得すると前記複数のコンテンツのうちの１つを用いて前記コンテンツ実行制御を行い、
次に前記信号を取得すると、前記複数のコンテンツのうち前回の前記コンテンツ実行制御で用いたコンテンツとは別のコンテンツを用いて前記コンテンツ実行制御を行うことを特徴とする請求項１から請求項５のいずれか１項に記載の携帯通信機器。
【請求項７】
前記制御装置は、前記信号を取得した回数を表すカウンタの値に基づいて、前記複数のコンテンツの中から次の前記コンテンツ実行制御で用いるコンテンツを決定することを特徴とする請求項６に記載の携帯通信機器。
【請求項８】
前記制御装置は、前記コンテンツ実行制御の実行を終えると、今回の前記コンテンツ実行制御で用いたコンテンツと同じ同一コンテンツを用いて再度前記コンテンツ実行制御を行うか否かを問う画像を前記表示装置に表示させ、
前記同一コンテンツを用いて再度前記コンテンツ実行制御を行うという指令が前記入力装置に入力されると、前記同一コンテンツを用いて再度前記コンテンツ実行制御を行うことを特徴とする請求項１から請求項７のいずれか１項に記載の携帯通信機器。
【請求項９】
前記制御装置は、前記コンピュータネットワーク内で複数のコンテンツを検出した場合、今回の前記コンテンツ実行制御で用いたコンテンツとは異なる別コンテンツを用いて前記コンテンツ実行制御を行うか否かを問う画像を前記表示装置に表示させ、
前記別コンテンツを用いて前記コンテンツ実行制御を行うという指令が前記入力装置に入力されると、前記別コンテンツを用いて前記コンテンツ実行制御を行うことを特徴とする請求項１から請求項８のいずれか１項に記載の携帯通信機器。
【請求項１０】
前記制御装置は、前記コンテンツ実行制御の実行が終了すると、次回の前記コンテンツ実行制御で用いるコンテンツに含まれる画像を静止画像として前記表示装置に表示させるか、又は、今回の前記コンテンツ実行制御で用いたコンテンツに含まれる画像を静止画像として前記表示装置に表示させることを特徴とする請求項１から請求項９のいずれか１項に記載の携帯通信機器。
【請求項１１】
前記制御装置は、前記コンテンツ実行制御の実行中に前記入力装置に所定の指令としての信号が入力されると、前記コンテンツ実行制御の実行を中止し、入力された前記信号に対応した機能を実行することを特徴とする請求項１から請求項１０のいずれか１項に記載の携帯通信機器。
【請求項１２】
前記制御装置は、前記コンテンツ実行制御の実行中に前記入力装置に所定の指令としての信号が入力されると、前記コンテンツ実行制御の実行中に、入力された前記信号に対応した機能も実行することを特徴とする請求項１から請求項１０のいずれか１項に記載の携帯通信機器。
【発明の詳細な説明】
【技術分野】
【０００１】
本発明は、待ち受け画面を表示装置に表示する携帯通信機器に関する。
【背景技術】
【０００２】
数ある携帯通信機器の一種として、例えば、携帯電話機がある。従来、多種多様な携帯電話機の中の大多数の携帯電話機は、待ち受け画面として所定画像を表示装置に表示する。待ち受け画面とは、携帯電話機が通信（バックグラウンド動作を除く）をしておらず、かつユーザーからの指令の入力を待ち受けている場合に、携帯電話機の表示装置に表示される画面である。また、所定画像は、携帯電話機の記憶装置に記憶されている画像であり、一般的に、待ち受け画像や、壁紙と呼ばれる。例えば、特許文献１には、あらかじめ携帯電話機に登録し蓄積された文字情報から、ある一定の設定された条件により文字情報を抜き出し、あらかじめ登録された画像上に上記文字情報をその都度出力する技術が開示されている。
【先行技術文献】
【特許文献】
【０００３】
【特許文献１】特開２００５−３１８４８５号公報
【発明の概要】
【発明が解決しようとする課題】
【０００４】
特許文献１に開示されている技術は、待ち受け画面に表示される文字が切り替わる点に特徴があるが、あらかじめ携帯電話機に登録し蓄積された文字情報には限りがある。よって、あらかじめ携帯電話機に登録し蓄積された文字情報が少ない場合には、ユーザーは同じ文字情報を何度か見ることになる。これにより、特許文献１に開示されている技術では、待ち受け画面に対するユーザーの興味の低下を低減できない場合がある。
【０００５】
本発明は、上記に鑑みてなされたものであって、ユーザーの興味の低下を低減できる携帯通信機器を提供することを目的とする。
【課題を解決するための手段】
【０００６】
上述した課題を解決し、目的を達成するために、本発明に係る携帯通信機器は、指令としての信号を受け付ける入力装置と、通信回線を介して情報を取得する通信装置と、画像を表示する表示装置と、音声を出力するスピーカと、あらかじめ指定された文字列であって、画像と音声との少なくとも一方を含むコンテンツのコンピュータネットワーク内での所在を表す文字列に基づいて、前記コンピュータネットワークから前記コンテンツを前記通信装置に取得させ、前記表示装置に待ち受け画面を表示させる信号を取得すると、取得した前記コンテンツに含まれる画像を前記表示装置に表示させることと、取得した前記コンテンツに含まれる音声をスピーカに出力させることとの少なくとも一方を行う制御であるコンテンツ実行制御を行う制御装置と、を備えることを特徴とする。
【０００７】
本発明の好ましい態様としては、前記文字列は、前記表示装置の待ち受け画面に対して指定された文字列であることが望ましい。
【０００８】
本発明の好ましい態様としては、前記制御装置は、前記コンピュータネットワーク内で前記コンテンツを検出できない場合、前記文字列を新たな文字列に変更して、前記通信装置による前記コンテンツとは別のコンテンツの取得を試みることが望ましい。
【０００９】
本発明の好ましい態様としては、前記制御装置は、前記文字列の後尾側から文字を削除することで、前記新たな文字列を作成することが望ましい。
【００１０】
本発明の好ましい態様としては、前記制御装置は、前記コンピュータネットワークから取得したコンテンツとしてのファイルに、前記別のコンテンツの前記ネットワーク内での所在を表す文字列を発見した場合は、発見した文字列を前記新たな文字列とすることが望ましい。
【００１１】
本発明の好ましい態様としては、前記制御装置は、前記コンピュータネットワーク内で複数のコンテンツを検出した場合、前記信号を取得すると前記複数のコンテンツのうちの１つを用いて前記コンテンツ実行制御を行い、次に前記信号を取得すると、前記複数のコンテンツのうち前回の前記コンテンツ実行制御で用いたコンテンツとは別のコンテンツを用いて前記コンテンツ実行制御を行うことが望ましい。
【００１２】
本発明の好ましい態様としては、前記制御装置は、前記信号を取得した回数を表すカウンタの値に基づいて、前記複数のコンテンツの中から次の前記コンテンツ実行制御で用いるコンテンツを決定することが望ましい。
【００１３】
本発明の好ましい態様としては、前記制御装置は、前記コンテンツ実行制御の実行を終えると、今回の前記コンテンツ実行制御で用いたコンテンツと同じ同一コンテンツを用いて再度前記コンテンツ実行制御を行うか否かを問う画像を前記表示装置に表示させ、前記同一コンテンツを用いて再度前記コンテンツ実行制御を行うという指令が前記入力装置に入力されると、前記同一コンテンツを用いて再度前記コンテンツ実行制御を行うことが望ましい。
【００１４】
本発明の好ましい態様としては、前記制御装置は、前記コンピュータネットワーク内で複数のコンテンツを検出した場合、今回の前記コンテンツ実行制御で用いたコンテンツとは異なる別コンテンツを用いて前記コンテンツ実行制御を行うか否かを問う画像を前記表示装置に表示させ、前記別コンテンツを用いて前記コンテンツ実行制御を行うという指令が前記入力装置に入力されると、前記別コンテンツを用いて前記コンテンツ実行制御を行うことが望ましい。
【００１５】
本発明の好ましい態様としては、前記制御装置は、前記コンテンツ実行制御の実行が終了すると、次回の前記コンテンツ実行制御で用いるコンテンツに含まれる画像を静止画像として前記表示装置に表示させるか、又は、今回の前記コンテンツ実行制御で用いたコンテンツに含まれる画像を静止画像として前記表示装置に表示させることが望ましい。
【００１６】
本発明の好ましい態様としては、前記制御装置は、前記コンテンツ実行制御の実行中に前記入力装置に所定の指令としての信号が入力されると、前記コンテンツ実行制御の実行を中止し、入力された前記信号に対応した機能を実行することが望ましい。
【００１７】
本発明の好ましい態様としては、前記制御装置は、前記コンテンツ実行制御の実行中に前記入力装置に所定の指令としての信号が入力されると、前記コンテンツ実行制御の実行中に、入力された前記信号に対応した機能も実行することが望ましい。
【発明の効果】
【００１８】
本発明に係る携帯通信機器は、ユーザーの興味の低下を低減できるという効果を奏する。
【図面の簡単な説明】
【００１９】
【図１】図１は、携帯通信機器を示す正面図である。
【図２】図２は、制御装置が有する各機能を示すブロック図である。
【図３】図３は、制御装置が実行するコンテンツ実行制御を示すフローチャートである。
【図４】図４は、選択画像が表示された表示装置を示す説明図である。
【図５】図５は、制御装置が実行する割り込み制御を示すフローチャートである。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下の説明では、携帯通信機器として携帯電話機を例として説明するが、本発明の適用対象は携帯電話機に限定されるものではなく、通信回線を用いて情報を取得できるものであればよい。本発明の適用対象は、例えば、ＰＨＳ（Personal Handy phone System）、ＰＤＡ、ポータブルナビゲーション装置、ノートパソコン、携帯型ゲーム機等である。
【００２１】
（実施形態）
図１は、携帯通信機器を示す正面図である。携帯電話機１は、図１に示すように、筐体１０内に各装置が収納されて構成される。筐体１０は、例えば、第１筐体１０ａと第２筐体１０ｂとを含んで構成される。第１筐体１０ａは、第２筐体１０ｂに対して軸ＣＬを軸に回動できるように連結される。携帯電話機１は、いわゆる折り畳み式の携帯電話機である。ここで、携帯電話機１は、第１筐体１０ａが第２筐体１０ｂに対してスライドできるように連結されるスライド型の携帯電話機でもよいし、単一の筐体で構成さるストレート型の携帯電話機でもよい。
【００２２】
携帯電話機１は、図１に示すように、筐体１０内に、制御装置２０を備える。制御装置２０は、ＣＰＵ（Central Processing Unit）を含んで構成され、携帯電話機１の全体的な動作を統括的に制御する装置である。携帯電話機１は、筐体１０内に配置されると共に制御装置２０と電気的に接続される装置群として、表示装置１１と、通信装置１２と、マイク１３と、レシーバ１４と、スピーカ１５と、入力装置１６と、記憶装置１７と、を備える。制御装置２０は、これらの各装置に信号を送信したり、各装置から信号を取得したりして各装置を制御する。
【００２３】
表示装置１１は、例えば、図１に示すように第１筐体１０ａに設けられる。制御装置２０は、表示装置１１に、画像を表示させる。ここで、前記画像には、静止画や動画も含まれる。表示装置１１は、複数の静止画を連続して表示することにより、動画を表現する。通信装置１２には、アンテナが含まれており、回線交換網を介して行われる音声通話の発着信、メールの送受信を行う。また、通信装置１２は、通信回線を介した情報のやり取りも行う。マイク１３は、例えば、第２筐体１０ｂに設けられる。マイク１３は、音声を電気信号に変換して制御装置２０に出力する。制御装置２０は、電気信号に変換された音声をマイク１３から取得する。
【００２４】
レシーバ１４及びスピーカ１５は、例えば、図１に示す第１筐体１０ａに設けられる。レシーバ１４及びスピーカ１５は、電気信号を音声に変換して出力する。制御装置２０は、レシーバ１４とスピーカ１５とのうち少なくとも１つから音声を出力させる。入力装置１６は、例えば、第２筐体１０ｂに配置される。入力装置１６は、携帯電話機１のユーザーによって操作される。制御装置２０は、入力装置１６を介してユーザーが入力した情報を取得する。記憶装置１７は、例えば、半導体記憶装置やハードディスクである。記憶装置１７は、制御装置２０が実行する一連の手順が記された各種プログラムや、画像データ、テキストデータ、その他諸々のデータを記憶する。
【００２５】
図２は、制御装置が有する各機能を示すブロック図である。制御装置２０は、１つの装置が図２に示す各機能を実現してもよいし、図２に示す各機能をそれぞれ別個に実現する複数の装置が電気的に接続されることで各機能を実現してもよい。制御装置２０は、主処理部２１と、記憶装置制御部２２と、入力データ取得部２３と、音声処理部２４と、通信部２５と、表示制御部２６との各機能を実現する。主処理部２１は、演算をしたり、次にどの手順を実行するのかを判定したりする。記憶装置制御部２２は、制御装置２０が備えるＩ／Ｏ（Input/Output）に電気的に接続される記憶装置１７に情報を記憶させたり、記憶装置１７に記憶されている情報を記憶装置１７から取得したりする。入力データ取得部２３は、制御装置２０のＩ／Ｏに電気的に接続される入力装置１６から信号を取得する。すなわち、入力データ取得部２３は、入力装置１６からユーザーが入力した情報を取得する。
【００２６】
音声処理部２４は、制御装置２０のＩ／Ｏに電気的に接続されるマイク１３と、レシーバ１４と、スピーカ１５と信号をやりとりする。具体的には、音声処理部２４は、マイク１３が電子信号に変換した音声データをマイク１３から取得する。また、音声処理部２４は、レシーバ１４やスピーカ１５へ信号を出力して、レシーバ１４やスピーカ１５に音声を出力させる。通信部２５は、制御装置２０のＩ／Ｏに電気的に接続される通信装置１２へ音声データやメールデータを出力したり、通信装置１２から音声データやメールデータを取得したりして、音声通話の機能や、メールの送受信の機能を実現する。
【００２７】
また、通信部２５は、通信回線を介して接続先のコンピュータへ情報を送信したり、接続先のコンピュータから情報を取得したりする。以下、接続先のコンピュータをホストコンピュータという。なお、ここでいうホストコンピュータとは、１台のパーソナルコンピュータに限定されない。例えば、複数のパーソナルコンピュータが互いに通信回線で接続されることでコンピュータネットワークが形成され、このコンピュータネットワーク全体でサーバーとしての機能を実現する場合、このコンピュータネットワークを構成する端末（パーソナルコンピュータ）を総じてホストコンピュータという。表示制御部２６は、制御装置２０のＩ／Ｏに電気的に接続される表示装置１１を制御する。表示制御部２６は、表示装置１１に表示させる画像を生成したり、表示装置１１に信号を出力して表示装置１１に画像を表示させたりする。
【００２８】
ここで、従来の携帯電話機は、待ち受け画面として表示装置に静止画を表示する。従来の携帯電話機は、自身（従来の携帯電話機）の記憶装置に保存されている静止画ファイルをユーザーがあらかじめ待ち受け画像に指定しておくことにより、静止画ファイルの画像を待ち受け画面として表示装置に表示する。一方、本実施形態の携帯電話機１は、静止画のみではなく、動画も待ち受け画面として表示装置１１に表示する点に特徴がある。ここでいう動画とは、静止画が連続して表示装置１１に表示されることによって再現されるものである。また、携帯電話機１は、表示装置１１が待ち受け画面を表示する代わりに、スピーカ１５が音声を出力することもできる。以下、静止画と、動画と、音声との少なくとも１つを含むものをコンテンツという。
【００２９】
また、本実施形態の携帯電話機１は、通信回線を介して別のコンピュータに保存されているコンテンツを取得し、そのコンテンツを用いて待ち受け画面を表示したり音声を出力したりする点にも特徴がある。本実施形態の携帯電話機１が取り扱うコンテンツとは、例えば、静止画ファイルや、動画ファイルや、音楽ファイルや、ゲーム（ゲームの実行ファイル）である。携帯電話機１は、待ち受け画面として表示装置１１に静止画を表示したり、表示装置１１に動画の映像を表示すると共に図１に示すスピーカ１５から動画の音声を出力したり、スピーカ１５から音楽の音声を出力したり、表示装置１１にゲーム画面を表示したりする。
【００３０】
このように、コンテンツに含まれる静止画及び動画を含む画像を表示装置１１に表示させることと、コンテンツに含まれる音声をスピーカ１５に出力させることとの少なくとも一方を行う制御をコンテンツ実行制御という。以下の説明では、あるコンテンツをコンテンツ実行制御に用いることを単に、コンテンツを実行するという。以下に、本実施形態の携帯電話機１の制御装置２０が実行する一連の手順を説明する。なお、以下の説明では、コンテンツ実行制御で用いるコンテンツを動画ファイルとして説明する。
【００３１】
図３は、制御装置が実行するコンテンツ実行制御を示すフローチャートである。図３に示すステップＳＴ１０１で、図２に示す主処理部２１は、ＵＲＬ（Uniform Resource Locator）がユーザーによってあらかじめ指定されているか否かを判定する。ＵＲＬとは、待ち受け画面用のコンテンツのコンピュータネットワーク内での所在を指定する文字列である。具体的には、ＵＲＬは、コンテンツが記憶されているホストコンピュータの所在、及び、ホストコンピュータの記憶装置内でのコンテンツのパスを指定する文字列である。ここで、ユーザーによって指定されたＵＲＬは、コンテンツそのもの（動画ファイルそのもの）の所在を示すものでもよいし、コンテンツを含むウェブページの所在を示すものでもよい。本実施形態では、ユーザーがあらかじめ指定したＵＲＬは、コンテンツを含むウェブページの所在を示すものであるとする。
【００３２】
ここで、図２に示す記憶装置制御部２２は、コンテンツのコンピュータネットワーク内での所在を指定するＵＲＬがユーザーによって指定されると、指定されたＵＲＬを情報として記憶装置１７に記憶する。主処理部２１は、記憶装置１７にこの情報があるか否かでコンテンツのコンピュータネットワーク内での所在を指定するＵＲＬが指定されているか否かを判定する。コンテンツのコンピュータネットワーク内での所在を指定するＵＲＬが指定されていない場合（ステップＳＴ１０１、Ｎｏ）、制御装置２０は、一連の手順の実行を終了して、再度、ステップＳＴ１０１以降の一連の手順を実行する。一連の手順の実行が終了してから次に図３に示す一連の手順の実行を開始するまでの間に、他の処理、例えば、音声通話を要求する処理や、メールの作成処理が要求された場合、制御装置２０は、要求された処理を実行する。
【００３３】
コンテンツのコンピュータネットワーク内での所在を指定するＵＲＬが指定されている場合（ステップＳＴ１０１、Ｙｅｓ）、ステップＳＴ１０２で、図２に示す通信部２５は、ユーザーによってあらかじめ指定されたＵＲＬが示すホストコンピュータから、通信回線を介してウェブページの情報を取得する。ここで通信部２５が取得する情報は、ＵＲＬが示すホストコンピュータのディレクトリに含まれるファイルのリストや、ウェブページの表示に必要な情報を記載したファイル、例えばＨＴＭＬ（Ｈｙｐｅｒ  Ｔｅｘｔ  Ｍａｒｋｕｐ  Ｌａｎｇｕａｇｅ）ファイルである。
【００３４】
次に、ステップＳＴ１０３で、主処理部２１は、ステップＳＴ１０２で通信部２５が取得した情報に基づいて、指定された所在（ＵＲＬ）から取得できるコンテンツを検出する。例えば、ステップＳＴ１０２でＵＲＬが示すホストコンピュータのディレクトリに含まれるファイルのリストを通信部２５が取得した場合、主処理部２１は、そのリストにコンテンツが含まれているか否かを調べる。また、ステップＳＴ１０２でウェブページの表示に必要な情報を記載したファイルを通信部２５が取得した場合、主処理部２１は、そのファイルのソースコードの中からコンテンツのコンピュータネットワーク内での所在そのものを示すＵＲＬを検索したり、ソースコードからコンテンツそのものの所在を示すＵＲＬを所定のルールに従って生成したりして、コンテンツの検出を試みる。
【００３５】
次に、ステップＳＴ１０４で主処理部２１は、コンテンツを検出できたか否かで次に実行する手順を変更する。コンテンツを検出できた場合（ステップＳＴ１０４、Ｙｅｓ）、ステップＳＴ１０５で主処理部２１は、検出されたコンテンツが複数であるか否かを判定する。検出されたコンテンツが複数ではない場合（ステップＳＴ１０５、Ｎｏ）、ステップＳＴ１０６で通信部２５は、ホストコンピュータから単一のコンテンツを取得する。そして、記憶装置制御部２２は、前記コンテンツを記憶装置１７に一時的に記憶させる。一方、検出されたコンテンツが複数である場合（ステップＳＴ１０５、Ｙｅｓ）、ステップＳＴ１０７で通信部２５は、複数のコンテンツのうちの少なくとも１つをコンピュータネットワークから、より具体的には、コンピュータネットワークを構成する端末であるホストコンピュータから取得する。
【００３６】
ここで、通信部２５が取得するコンテンツは、カウント値によって選出される。カウント値は、複数のコンテンツの中から取得するコンテンツを選出するための数値である。ここで、本実施形態では、カウント値の初期値を１、カウント値の現在の値をＮとして説明する。以下に、複数のコンテンツの中から通信部２５がステップＳＴ１０７で取得するコンテンツを選出する方法を説明する。まず、主処理部２１は、検出された複数のコンテンツのそれぞれに、それぞれ異なるナンバーＭを対応付ける。本実施形態では、主処理部２１は、各コンテンツに対して、ナンバーを、１、２、３・・・Ｍｍａｘとして対応付ける。また、主処理部２１は、例えば、コンテンツのファイル名が若い順に、順にナンバーを、１、２、３・・・Ｍｍａｘとして各コンテンツに対応付ける。そして、主処理部２１は、現在のカウント値Ｎと等しいナンバーであるＭ、及び、カウント値Ｎに１を加算した（Ｎ＋１）と等しいナンバーであるＭ＋１に対応するコンテンツを通信部２５が取得するコンテンツとする。
【００３７】
ここで、主処理部２１は、例えば、コンテンツの更新日時が新しい順に、ナンバー（１、２、３・・・Ｍｍａｘ）を各コンテンツに対応付けてもよい。更新日時とは、コンテンツが公開された時期や、コンテンツが変更された時期を示すものである。これにより、通信部２５は、検出された複数のコンテンツの中から、最近公開されたり変更されたりしたコンテンツを優先してホストコンピュータから取得できる。ここで、取得されたコンテンツは、後述するステップＳＴ１０９で実行される。これにより、制御装置２０は、最近公開されたり変更されたりしたコンテンツを優先して実行できる。よって、携帯電話機１は、ユーザーが見慣れないコンテンツを優先的にユーザーに提供できる。よって、携帯電話機１は、ユーザーの興味の低下を低減できる。
【００３８】
また、主処理部２１は、例えば、ランダムにナンバー（１、２、３・・・Ｍｍａｘ）を各コンテンツに対応付けてもよい。これにより、通信部２５は、主処理部２１によってランダムにナンバーに対応するコンテンツをホストコンピュータから取得する。結果として、通信部２５によって取得されるコンテンツは、ランダムに選出されたものとなる。ここで、数多くのユーザーの中には、実行されるコンテンツを繰り返し見ることにより、複数のコンテンツから１つのコンテンツを選出するためのルールを発見するユーザーもいる。ルールを発見したユーザーは、次にどのコンテンツが選出されるのかを推測できる。しかしながら、通信部２５がランダムに選出されたコンテンツをホストコンピュータから取得することにより、選出されたコンテンツが後述するステップＳＴ１０９で実行される際に、ユーザーは、実行されるコンテンツを予測できなくなる。これにより、携帯電話機１は、ユーザーの興味の低下を低減できる。
【００３９】
ここで、本実施形態では、ステップＳＴ１０７で通信部２５は、例えば２つのコンテンツをホストコンピュータから取得する。これは、ナンバーＭに対応するコンテンツの実行が終了した際、後述するステップＳＴ１１３で次のコンテンツ（ナンバーＭ＋１に対応するコンテンツ）の情報の一部が必要となるためである。また、次のコンテンツを記憶装置１７に一時的に保存しておくことにより、制御装置２０は、次のコンテンツを実行する指令が入力装置１６に入力された際に、通信回線を介してホストコンピュータからコンテンツを取得する必要がなくなる。これにより、制御装置２０は、迅速に次のコンテンツを実行できる。なお、通信部２５は、すべてのコンテンツをホストコンピュータから取得してもよいが、検出されたコンテンツのすべてが実行されるとは限らない。よって、通信部２５は、通信回線を介してすべてのコンテンツをホストコンピュータから取得するよりも、通信回線を介して２つのコンテンツをホストコンピュータから取得する方が、通信回線を介して行う通信量を低減できる可能性がある。
【００４０】
ステップＳＴ１０６又はステップＳＴ１０７の実行が終了すると、次に、ステップＳＴ１０８で、主処理部２１は、表示ＯＮ信号を取得したか否かを判定する。表示ＯＮ信号は、図１に示す表示装置１１による待ち受け画面の表示を開始するための信号である。
携帯電話機１が例えば図１に示すような、折り畳み式の携帯電話機である場合、携帯電話機１は、第１筐体１０ａ及び第２筐体１０ｂが互いに開く方向に開かれた場合に表示ＯＮ信号を出力する装置を有する。よって、制御装置２０は、第１筐体１０ａ及び第２筐体１０ｂが互いに開く方向に開かれた場合に表示ＯＮ信号を取得する。
【００４１】
また、表示ＯＮ信号は、携帯電話機１が例えばスライド型の携帯電話機である場合は、第１筐体及び第２筐体がスライドされて、入力装置が露出した場合に制御装置２０が取得する信号である。また、表示ＯＮ信号は、携帯電話機１がストレート型の携帯電話機である場合、表示装置に画像が表示されていない状態（省電力モード）から、入力装置に指令が入力された場合に制御装置２０が取得する信号である。ここで、主処理部２１は、表示装置１１のバックライトに供給される電力を表示ＯＮ信号として検出してもよい。この場合、主処理部２１は、折り畳み式と、スライド型と、ストレート型とのどの形式の携帯電話機でも、同じ手法で表示ＯＮ信号を取得できる。
【００４２】
表示ＯＮ信号を取得していない場合（ステップＳＴ１０８、Ｎｏ）、主処理部２１は、ステップＳＴ１０８を繰り返し実行する。この際、携帯電話機１は、省電力モードとなり、図１に示す表示装置１１に画像を表示させずに、音声通話を待ち受けたり、メールを待ち受けたりする。表示ＯＮ信号を取得した場合（ステップＳＴ１０８、Ｙｅｓ）、ステップＳＴ１０９で制御装置２０は、図２に示す記憶装置１７に一時的に保存されているコンテンツであって、カウント値Ｎと等しいナンバーＭに対応するコンテンツを実行する。
【００４３】
具体的には、まず、記憶装置制御部２２が記憶装置１７からナンバーＭに対応するコンテンツを取得する。そして、主処理部２１は、記憶装置１７から記憶装置制御部２２が取得したコンテンツの種類を判別する。例えば、主処理部２１は、コンテンツの拡張子に基づいてコンテンツの種類を判別する。次に、制御装置２０は、記憶装置１７から記憶装置制御部２２が取得したコンテンツに対応したアプリケーションプログラムを用いて、前記コンテンツを実行する。本実施形態では、コンテンツは動画ファイルであるため、表示制御部２６が図１に示す表示装置１１に動画の映像を表示させると共に、音声処理部２４が図１に示すスピーカ１５から動画の音声を出力させる。
【００４４】
ここで、ステップＳＴ１０９で制御装置２０が実行するコンテンツは、記憶装置１７にあらかじめ記憶されていたコンテンツではなく、ホストコンピュータに保存されているコンテンツである。よって、ホストコンピュータの管理者、又は、ホストコンピュータにコンテンツをアップロードしたユーザーが、コンテンツの内容を変更したり、新たなコンテンツを追加したりすると、制御装置２０が実行するコンテンツも変化することになる。これにより、携帯電話機１は、ユーザーが待ち受け画面を変更する指令を入力装置１６に入力しない場合でも、待ち受け画面を変更できる。よって、携帯電話機１は、ユーザーの興味の低下を低減できる。
【００４５】
次に、ステップＳＴ１１０からステップＳＴ１１２の各ステップで、主処理部２１は、カウント値Ｎを更新する。具体的には、まず、ステップＳＴ１１０で主処理部２１は、カウント値ＮがナンバーＭｍａｘであるか否かを判定する。すなわち、主処理部２１は、現在のカウント値ＮがステップＳＴ１０３で検出されたコンテンツの数と等しいか否かを判定する。カウント値ＮがナンバーＭｍａｘと等しくない場合（ステップＳＴ１１０、Ｎｏ）、ステップＳＴ１１１で主処理部２１は、カウント値Ｎに１を加算する。カウント値ＮがナンバーＭｍａｘと等しい場合（ステップＳＴ１１０、Ｙｅｓ）、ステップＳＴ１１２で主処理部２１は、カウント値Ｎをクリアして初期値である１に戻す。ここで、制御装置２０は、ステップＳＴ１１０からステップＳＴ１１２の各手順を、ステップＳＴ１０９でのコンテンツの実行が終了してから実行してもよいし、ステップＳＴ１０９でのコンテンツの実行中に実行してもよい。
【００４６】
図４は、選択画像が表示された表示装置を示す説明図である。コンテンツの実行が終了し、また、ステップＳＴ１１１又はステップＳＴ１１２の実行が終了すると、ステップＳＴ１１３で表示制御部２６は、図４に示すような選択画像３０を表示装置１１に表示させる。選択画像３０は、例えば、リプレイボタン画像３１と、ネクストボタン画像３２と、プレビュー画像３３とを含む画像である。リプレイボタン画像３１及びネクストボタン画像３２は、ユーザーによる入力装置１６への入力を補助するための画像である。ユーザーによる入力装置１６への指令の入力によって、表示制御部２６は、リプレイボタン画像３１又はネクストボタン画像３２に合わせてカーソル画像を表示させたり、リプレイボタン画像３１又はネクストボタン画像３２を変化させたりして、リプレイボタン画像３１又はネクストボタン画像３２が選択されている様子を表現する。
【００４７】
リプレイボタン画像３１は、ステップＳＴ１０９で実行されたコンテンツを再度実行する指令を入力するかをユーザーに問う画像である。ここで、ステップＳＴ１０９で実行されたコンテンツに対応付けられたナンバーをＭとすると、ネクストボタン画像３２は、次のコンテンツ、すなわちＭ＋１のナンバーに対応するコンテンツを実行する指令を入力するかを問う画像である。プレビュー画像３３は、次のコンテンツ（Ｍ＋１のナンバーに対応するコンテンツ）に含まれる静止画である。これにより、ユーザーは、プレビュー画像３３を確認して、今回実行したコンテンツ（同一コンテンツ）を再度実行させるか、次のコンテンツ（別コンテンツ）を実行させるかを判断できる。なお、プレビュー画像３３は、今回実行したコンテンツに含まれる静止画であってもよい。
【００４８】
次に、ステップＳＴ１１４で主処理部２１は、次のコンテンツ（Ｍ＋１のナンバーに対応するコンテンツ）の実行を要求する指令が入力装置１６から入力されたか否かを判定する。次のコンテンツの実行を要求する指令が入力装置１６から入力された場合（ステップＳＴ１１４、Ｙｅｓ）、制御装置２０は、ステップＳＴ１０９へ戻り、ステップＳＴ１０９以降の手順を実行する。この時、カウント値ＮはステップＳＴ１１１又はステップＳＴ１１２で更新されているため、制御装置２０は、前回とは異なるコンテンツを実行することになる。次のコンテンツの実行を要求する指令が入力装置１６から入力されない場合（ステップＳＴ１１４、Ｎｏ）、制御装置２０は、ステップＳＴ１１５を実行する。
【００４９】
ステップＳＴ１１５で主処理部２１は、今回実行したコンテンツ（Ｍのナンバーに対応するコンテンツ）の実行を要求する指令が図１に示す入力装置１６から入力されたか否かを判定する。今回実行したコンテンツの実行を要求する指令が入力装置１６から入力された場合（ステップＳＴ１１５、Ｙｅｓ）、ステップＳＴ１１６で主処理部２１は、現在のカウント値Ｎから１を減算する。なお、主処理部２１がステップＳＴ１１２を実行している場合現在のカウント値Ｎは１である。この場合、ステップＳＴ１１６で主処理部２１は、現在のカウント値ＮをナンバーＭｍａｘと等しい値にする。次に、制御装置２０は、ステップＳＴ１０９へ戻り、ステップＳＴ１０９以降の手順を実行する。この時、カウント値ＮはステップＳＴ１１１又はステップＳＴ１１２で更新された後に、さらにステップＳＴ１１６で元の値に更新されている。よって、制御装置２０は、前回と同一のコンテンツを実行することになる。
【００５０】
今回実行したコンテンツの実行を要求する指令が入力装置１６から入力されない場合（ステップＳＴ１１５、Ｎｏ）、すなわち、ユーザーが入力装置１６のクリアボタンや電源ボタン等を操作し、コンテンツの実行を停止する指令を入力装置１６に入力した場合、制御装置２０は、ステップＳＴ１１７を実行する。ステップＳＴ１１７で表示制御部２６は、表示装置１１に汎用画像を表示させる。汎用画像とは、実行するコンテンツがない際に表示装置１１に表示される画像である。汎用画像は、例えば、記憶装置１７に記憶されている静止画や動画である。これにより、携帯電話機１は、実行するコンテンツがない場合であっても、表示装置１１に画像を表示する。よって、携帯電話機１は、ユーザーの興味の低下を低減できる。
【００５１】
次に、ステップＳＴ１１８で主処理部２１は、表示ＯＦＦ信号を取得したか否かを判定する。表示ＯＦＦ信号は、携帯電話機１が例えば図１に示すように、折り畳み式の携帯電話機である場合、第１筐体１０ａ及び第２筐体１０ｂが互いに近づく方向に開かれた場合に制御装置２０が取得する信号である。また、表示ＯＦＦ信号は、携帯電話機１が例えばスライド型の携帯電話機である場合、第１筐体及び第２筐体がスライドされて、入力装置が隠れた場合に制御装置２０が取得する信号である。
【００５２】
また、表示ＯＦＦ信号は、携帯電話機１がストレート型の携帯電話機である場合、所定時間が経過して表示装置に画像が表示されていない状態（省電力モード）になった場合に制御装置２０が取得する信号である。ここで、主処理部２１は、表示装置１１のバックライトに供給される電力がローレベルになった場合に、表示ＯＦＦ信号を取得したものとする。この場合、主処理部２１は、折り畳み式と、スライド型と、ストレート型とのどの形式の携帯電話機でも、同じ手法で表示ＯＦＦ信号を取得できる。
【００５３】
表示ＯＦＦ信号を取得していない場合（ステップＳＴ１１８、Ｎｏ）、主処理部２１は、ステップＳＴ１１７を繰り返し実行する。この間、表示装置１１は汎用画像を表示する。表示ＯＦＦ信号を取得した場合（ステップＳＴ１１８、Ｙｅｓ）、ステップＳＴ１１９で表示制御部２６は、表示装置１１による画像の表示を停止する。そして、制御装置２０は、一連の手順の実行を終了して、再度、ステップＳＴ１０１以降の一連の手順を実行する。ここで、再度ステップＳＴ１０１を実行する際、ＵＲＬに変更があった場合、通信部２５は、変更されたＵＲＬが指定するホストコンピュータから通信回線を介してウェブページの情報を取得する。
【００５４】
次に、ステップＳＴ１０４で、コンテンツを１つも検出できなかった場合（ステップＳＴ１０４、Ｎｏ）に制御装置２０が実行する手順を説明する。ここで、通信回線を介して配信されるコンテンツは、ホストコンピュータから削除されることがある。また、あらかじめユーザーによって指定されたＵＲＬが無効なものである場合もある。このような場合、主処理部２１は、コンテンツを１つも検出できない。コンテンツを１つも検出できなかった場合（ステップＳＴ１０４、Ｎｏ）、ステップＳＴ１２０で主処理部２１は、ＵＲＬの変更処理ができるか否かを判定する。ここで、ＵＲＬの変更処理とは、あらかじめユーザーによって指定されたＵＲＬを制御装置２０が自動で変更することによって、コンテンツの検出を試みる処理である。説明の便宜上、ＵＲＬの変更処理ができる場合（ステップＳＴ１２０、Ｙｅｓ）に主処理部２１が実行する手順から先に説明する。
【００５５】
ステップＳＴ１２１で、主処理部２１は、例えば、ＵＲＬの後尾側から文字を削除することで、新たなＵＲＬを作成する。主処理部２１は、ＵＲＬの後尾側から文字を１つずつ削除してもよいし、複数の文字をまとめて削除してもよい。ここで、ＵＲＬの多くは、「／」を含む。２つの「／」に挟まれた文字列は、ホストコンピュータのディレクトリを示すものであることがある。主処理部２１は、例えば、ＵＲＬの後尾側から次の「／」までの文字をまとめて削除すると好ましい。これにより、主処理部２１は、あらかじめユーザーによって指定されていたＵＲＬに基づいて、最初に指定されていたディレクトリの１つ上の階層のディレクトリ（最初に指定されていたディレクトリを含むディレクトリ）を示すＵＲＬを作成できる。この１つ上の階層のディレクトリには、コンテンツが含まれている可能性がある。よって、主処理部２１は、ランダムにＵＲＬを変更するよりも、ＵＲＬの後尾側から次の「／」までの文字をまとめて削除する方が、有効なＵＲＬを作成できる可能性を向上できる。
【００５６】
ここで、２つの「／」に挟まれた文字列は、ディレクトリを指定する文字列以外にも、ホストコンピュータを指定する文字列も含まれる。ホストコンピュータを指定する文字列まで削除すると、コンテンツを検出できなくなるおそれが高い。よって、ステップＳＴ１２０では、主処理部２１は、例えば、次の「／」と、その次の「／」との間の文字列がホストコンピュータを指定する文字か否かを判定することで、ＵＲＬを変更できるか否かを判定する。例えば、主処理部２１は、例えば、ＵＲＬに削除できる文字が残っているか否かで、ＵＲＬを変更できるか否かを判定してもよい。但し、上述したように、ホストコンピュータを指定する文字列まで削除すると、コンテンツを検出できなくなるおそれがある。よって、ホストコンピュータを指定する文字列まで削除する前に、これ以上の文字列の削除では有効なＵＲＬを作成できないと判断した方が、主処理部２１は、不要な処理（有効なＵＲＬを作成できない処理）を低減できる。
【００５７】
ＵＲＬの変更処理ができる場合（ステップＳＴ１２０、Ｙｅｓ）、ステップＳＴ１２１を実行して、制御装置２０は、ステップＳＴ１０２を再度実行する。そして、ステップＳＴ１０３で主処理部２１がコンテンツの検出を再度試みる。これでもコンテンツを検出できなかった場合（ステップＳＴ１０４、Ｎｏ）、制御装置２０はステップＳＴ１２０以降の手順を再度実行する。すなわち、制御装置２０は、コンテンツを検出できるまで、又は、ＵＲＬの変更処理ができなくなるまで、ＵＲＬを変更しつつコンテンツの検出を繰り返し試みる。これにより、携帯電話機１は、コンテンツを検出できなかった場合でも、他のコンテンツを検出し、検出されたコンテンツを実行できる可能性が向上する。よって、携帯電話機１は、ユーザーの興味の低下を低減できる。ＵＲＬの変更処理ができなくなると（ステップＳＴ１２０、Ｎｏ）、表示制御部２６は、ステップＳＴ１１７を実行する。
【００５８】
ここで、ステップＳＴ１２１で主処理部２１が実行するＵＲＬの変更処理は、文字の削除に限定されない。例えば、主処理部２１は、あらかじめユーザーによって指定されたＵＲＬの後尾側から文字を他の文字に変更することで、新たなＵＲＬを作成してもよい。また、ステップＳＴ１０２で通信部２５がＨＴＭＬファイルを取得した場合、このＨＴＭＬファイルのソースコードには削除されたコンテンツに関連したコンテンツのコンピュータネットワーク内での所在を示すＵＲＬが記載されていることが多い。主処理部２１は、あらかじめユーザーによって指定されたＵＲＬを、ステップＳＴ１０２で取得した情報の中に含まれるＵＲＬに変更することで、新たなＵＲＬを作成してもよい。
【００５９】
この場合、主処理部２１は、削除されたコンテンツに関連したコンテンツを検出できる可能性が向上する。よって、携帯電話機１は、ユーザーの趣向に合ったコンテンツをユーザーに提供できる可能性を向上できる。このようなＵＲＬの変更処理を行う場合、ステップＳＴ１２０で主処理部２１は、ステップＳＴ１０２で取得した情報の中にＵＲＬが含まれているか否かを判定することで、ＵＲＬを変更できるか否かを判定する。ここで、ステップＳＴ１０２で取得した情報の中にＵＲＬが含まれていない場合に、主処理部２１は、あらかじめユーザーによって指定されたＵＲＬの文字列を、後尾側から削除するようにしてもよい。この場合、携帯電話機１は、あらかじめ指定されたＵＲＬでコンテンツを検出できなかった場合でも、ユーザーにコンテンツを提供できる可能性をさらに向上できる。
【００６０】
図５は、制御装置が実行する割り込み制御を示すフローチャートである。ここで、一般的な携帯電話機の制御装置は、動画を再生している最中、動画の再生に関する指令の入力を待ち受ける。動画の再生に関する指令とは、動画の早送りや、巻き戻し、一時停止、音量の調整等の指令である。しかしながら、本実施形態の携帯電話機１は、待ち受け画面としてコンテンツを実行（動画を再生）する。よって、コンテンツの実行に関する指令以外の指令を図１に示す入力装置１６を介してユーザーが入力した場合、携帯電話機１は、迅速にその指令に対応する処理を実行すると好ましい。コンテンツの実行に関する指令以外の指令とは、例えば、音声通話を開始するための指令であったり、メールを作成したり受信したメールの閲覧を開始したりするための指令であったり、各種設定を変更するための指令である。
【００６１】
そこで、制御装置２０は、図５に示す一連の手順を実行する。図５に示す一連の手順は、コンテンツの実行中に実行される手順である。ステップＳＴ２０１で、図２に示す主処理部２１は、コンテンツの実行を停止するための指令が入力装置１６へ入力されたか否かを判定する。具体的には、入力データ取得部２３が入力装置１６から所定の信号を取得した場合に、主処理部２１は、コンテンツの実行を停止するための指令が入力装置１６へ入力されたと判定する。
【００６２】
ここで、所定の信号とは、例えば、クリアボタンや、電源ボタンのように、現在の処理を中断するようなボタンが押された場合に、図２に示す入力データ取得部２３が取得する信号や、動画の再生に関する指令に通常用いられないボタン、例えば、数字ボタンが押された場合に入力データ取得部２３が取得する信号である。入力データ取得部２３は、入力装置１６のうちの一部、例えば、十字キーと決定キーは、動画の再生に関する指令を入力するための機能を割り当てる。コンテンツの実行を停止するための指令が入力装置１６へ入力されていない場合（ステップＳＴ２０１、Ｎｏ）、制御装置２０は、一連の手順の実行を終了して、再度、ステップＳＴ２０１以降の一連の手順を実行する。
【００６３】
コンテンツの実行を停止するための指令が入力装置１６へ入力された場合（ステップＳＴ２０１、Ｙｅｓ）、ステップＳＴ２０２で制御装置２０は、コンテンツの実行を停止する。すなわち、表示制御部２６は、図１に示す表示装置１１による画像の表示を停止する。また、音声処理部２４は、スピーカ１５による音声の出力を停止する。そして、入力データ取得部２３は、入力装置１６の各ボタンへの機能の割り当てを通常割り当てに変更する。すなわち、入力データ取得部２３は、コンテンツの実行中、コンテンツの実行に関する指令を入力するためのボタン（例えば十字キー）を、他の指令を入力するためのボタンに変更する。
【００６４】
次に、主処理部２１は、ステップＳＴ２０３からステップＳＴ２０５の一連の手順を実行して、カウント値Ｎを更新する。ステップＳＴ２０３からステップＳＴ２０５の各手順は、図３に示すステップＳＴ１１０からステップＳＴ１１２の各手順と同一である。次に、ステップＳＴ２０６で、表示制御部２６は、入力装置１６に入力された指令に対応する画像を表示装置１１に表示させる。例えば、入力装置１６に入力された指令が、電話番号の入力を指令するものであった場合、図２に示す表示制御部２６は、入力装置１６に入力された番号と同一の文字列の画像を表示装置１１に表示させる。そして、制御装置２０は、一連の手順の実行を終了する。以上の手順をコンテンツの実行中に実行することにより、携帯電話機１は、コンテンツの実行に関する指令以外の指令を図１に示す入力装置１６を介してユーザーが入力した場合に、迅速にその指令に対応する処理を実行できる。
【００６５】
ここで、制御装置２０は、コンテンツ実行制御の実行中に入力装置１６にコンテンツの実行に関する指令以外の指令が入力されると、コンテンツ実行制御の実行と同時に、入力された指令に対応した手順を実行してもよい。つまり、この場合、表示制御部２６は、コンテンツに含まれる画像を表示しつつ、入力された指令に対応する画像を表示装置１１に表示させる。具体的には、表示制御部２６は、コンテンツに含まれる画像を背景画像とし、入力された指令に対応する画像を背景画像よりもユーザー側に配置した画像を表示装置１１に表示させる。又は、表示制御部２６は、表示装置１１の表示領域を分割し、コンテンツに含まれる画像を形成された領域の一方に表示し、入力された指令に対応する画像を形成された領域の他方に表示する。これらの場合、携帯電話機１は、コンテンツをユーザーに提供しつつ、ユーザーが入力した指令に対応する画像も表示できる。
【産業上の利用可能性】
【００６６】
以上のように、本発明に係る携帯通信機器は、ユーザーの興味の低下を低減することに有用である。
【符号の説明】
【００６７】
１  携帯電話機
１０  筐体
１０ａ  第１筐体
１０ｂ  第２筐体
１１  表示装置
１２  通信装置
１３  マイク
１４  レシーバ
１５  スピーカ
１６  入力装置
１７  記憶装置
２０  制御装置
２１  主処理部
２２  記憶装置制御部
２３  入力データ取得部
２４  音声処理部
２５  通信部
２６  表示制御部
３０  選択画像
３１  リプレイボタン画像
３２  ネクストボタン画像
３３  プレビュー画像
【図１】
2011097190.tif 000003
【図２】
2011097190.tif 000004
【図３】
2011097190.tif 000005
【図４】
2011097190.tif 000006
【図５】
2011097190.tif 000007